(57)【要約】【課題】勾配を有する屋根上での作業性を向上することができる足場装置を提供する。【解決手段】勾配を有する屋根１０上に設置される足場装置２０を、屋根１０上に置かれる分圧板２１と、この分圧板２１上に位置し、棟側端部２２Ａの軸を中心に回動する足場板２２と、この足場板２２を回動させて当該足場板２２の勾配を調節する勾配調節機構２３と、で構成する。【選択図】図３
2012057302.tif 000002
【特許請求の範囲】
【請求項１】
勾配を有する屋根上に設置される足場装置であって、
前記屋根上に置かれる分圧板と、
この分圧板上に位置し、棟側端部の軸を中心に回動する足場板と、
この足場板を回動させて当該足場板の勾配を調節する勾配調節機構と、を有する、
ことを特徴とする足場装置。
【請求項２】
前記分圧板は、少なくとも前記屋根側の部位が、当該屋根の形状に沿って曲る鋼板、アルミ板、及び、繊維補強レジンパネルのいずれかで構成されている、
請求項１記載の足場装置。
【請求項３】
前記分圧板及び前記足場板は、前記勾配方向と直交する横方向に長い横長状とされ、
前記勾配調節機構は、前記分圧板の軒側端部と前記足場板の軒側端部との間に介在された伸縮部材で構成され、
この伸縮部材が横方向に間隔をおいて複数設けられ、この複数の伸縮部材の伸縮によって前記足場板の勾配が調節される構成とされている、
請求項１又は請求項２記載の足場装置。
【請求項４】
前記複数の伸縮部材それぞれが、
前記分圧板から前記足場板側、かつ横方向一方側に延在する第１の下側節、
前記分圧板から前記足場板側、かつ横方向他方側に延在する第２の下側節、
前記足場板から前記分圧板側、かつ横方向一方側に延在する第１の上側節、及び、
前記足場板から前記分圧板側、かつ横方向他方側に延在する第２の上側節、
が備わるリンク機構で構成され、
前記第１の下側節と前記第１の上側節との連結部にそれぞれ雌ネジ部材が設けられ、
前記第２の下側節と前記第２の上側節との連結部にそれぞれ筒部材が設けられ、
前記複数の雌ネジ部材とそれぞれ螺合する複数の雄ネジ部、及び、前記複数の筒部材をそれぞれ挟み込む一対の凸部、を有する回転棒が、当該複数の雌ネジ部材及び複数の筒部材に挿通され、
前記回転棒を軸心回りに回転すると、前記複数の雌ネジ部材がそれぞれ前記雄ネジ部上を移動して前記複数のリンク機構が同時に伸縮する構成とされている、
請求項３記載の足場装置。
【請求項５】
前記分圧板は、前記勾配方向に長い縦長状とされ、
前記足場板は、前記勾配方向に並ぶ複数で構成され、この複数の足場板が、それぞれ棟側端部の軸を中心に回動する構成とされている、
請求項１又は請求項２記載の足場装置。
【請求項６】
前記勾配調節機構は、
前記複数の足場板の棟側端部を軸支する基材と、
前記複数の足場板からそれぞれ側方へ延出する延出片と、
この複数の延出片をそれぞれ挟む一対の凸部が備わり、この一対の凸部間の部位がそれぞれ前記複数の延出片に形成された軸通孔に挿通される軸棒と、
前記基材から上方に延出し、前記軸棒を軸方向及び上下方向に移動可能に支持する支持材と、を有し、
前記軸棒を軸方向に移動すると、前記一対の凸部に挟まれた延出片がそれぞれ軸方向へ移動し、この移動によって前記複数の足場板が回動する構成とされている、
請求項５記載の足場装置。
【請求項７】
勾配を有する屋根上に足場を設置する方法であって、
請求項６記載の足場装置を縦足場装置として前記屋根の勾配方向に沿って設置するとともに、
前記縦足場装置の軸棒を軸方向に移動して当該縦足場装置の複数の足場板の勾配を調節し、
この縦足場装置から前記勾配と直交する横方向に沿って請求項４記載の足場装置を横足場装置として設置するとともに、
この横足場装置の回転棒を回転して当該横足場装置の足場板の勾配を調節する、
ことを特徴とする足場装置の設置方法。
【発明の詳細な説明】
【技術分野】
【０００１】
本発明は、勾配を有するスレート屋根等の上に設置される足場装置、及び当該屋根上に足場装置を設置する方法に関するものである。
【背景技術】
【０００２】
勾配を有する屋根としては、例えば、スレート系の屋根、シングル系の屋根、金属系の屋根等が存在する。具体的には、スレート系の屋根としては、石綿及びセメントを原料とした石綿スレート屋根、玄昌石等の粘板岩を原料とした天然スレート屋根等が、シングル系の屋根としては、アスファルトシングル屋根等が、金属系の屋根としては、金属板を木材の角棒に沿わせて立ち上げ金属板をかぶせ固定した瓦棒葺き屋根、垂直にはぜ吊り子を付けておき、長尺板の端を巻き込むたてはぜ葺き屋根、長方形の金属板を四方子はぜとして金属同士を引っ掛けながら葺きあげる平板葺き・一文字葺き屋根、金属板を横向きに使用して葺いた横葺き・段葺き屋根等が存在する。
【０００３】
このように様々な原料で形成される屋根のなかでも、例えば、工場、倉庫、駅のプラットフォーム等において使用されるスレート系の屋根においては、次の問題が指摘されている。すなわち、スレート系の屋根においては、スレートの点検や葺き替え、清掃、塗装等を行うために、作業者が屋根の上に乗ることがあるが、その際にスレートが割れて作業者が墜落する踏み抜き事故が発生するおそれがある。
【０００４】
そこで、現在では、屋根の上に足場を設置し、この足場の上で作業を行うとする各種提案がなされている。例えば、特許文献１は、「ハニカムコアを心材とし、該ハニカムコアの両面にアルミ板を接着してサンドイッチ板状に一体化したパネルからなる屋根上用足場板であって、前記パネルの片面または両面に滑り止め材を施し、前記パネルに屋根の傾斜面に対し固定する、前記パネル面に穿孔し屋根の下地ボルトに挿入する２個の切欠部を設けてなる屋根上用足場板」を提案する。また、特許文献２は、「スレート屋根上の波形凹部に配置されると共に波形凸部よりも若干突出するように配置される支持鋼管と、該支持鋼管と結合させて装備される所定面積の足場板とで構成されるスレート屋根上設備点検デッキ」を提案する。さらに、特許文献３は、「スレートによって葺かれたスレート屋根上に載置され、作業者の足場を形成する板状の足場形成部材と、該足場形成部材を上記スレート屋根に固定する固定部材とを備え、上記足場形成部材には、上記スレートの波形状に対応して延びる波形面部と、上記スレートを屋根の骨材に取り付けるためのスレート取付部材を露出させる開放部とが設けられ、上記固定部材は、上記開放部内に位置する上記スレート取付部材に係合した状態と、該スレート取付部材から離脱した状態とに切り替えられることを特徴とするスレート屋根用足場板」を提案する。
【０００５】
これら従来の足場装置は、スレート屋根にかかる圧力をパネル、板等によって分散し、もってスレートの破損を原因とする踏み抜き事故の発生を防止しようとするものであり、その有用性は認められる。しかしながら、これらのパネル、板等は、スレート屋根の勾配に沿った勾配を有している。したがって、作業者は傾斜（勾配）面上において作業を行うことになり、作業効率が低下する。また、特に、塗装作業等においては、作業者は、座った状態で塗装作業を行い移動に際して立ち上がるといった動作を繰り返すことになるため、平衡感覚を失い、落下事故に繋がるおそれもある。
【０００６】
そして、この作業効率の低下、落下事故の危険の問題は、屋根がスレート系である場合に限定されず、勾配を有する屋根一般に共通する問題である。
【先行技術文献】
【特許文献】
【０００７】
【特許文献１】特公平４−７２９４７号公報
【特許文献２】特開２００３−１３５７３号公報
【特許文献３】特開２００８−２６６９２０号公報
【発明の概要】
【発明が解決しようとする課題】
【０００８】
本発明が解決しようとする主たる課題は、勾配を有する屋根上での作業性を向上することができる足場装置、及び足場装置の設置方法を提供することにある。
【課題を解決するための手段】
【０００９】
この課題を解決した本発明は、次のとおりである。
〔請求項１〕
勾配を有する屋根上に設置される足場装置であって、
前記屋根上に置かれる分圧板と、
この分圧板上に位置し、棟側端部の軸を中心に回動する足場板と、
この足場板を回動させて当該足場板の勾配を調節する勾配調節機構と、を有する、
ことを特徴とする足場装置。
【００１０】
（作用効果）
屋根上に置かれる分圧板によって、踏み抜き事故の発生が防止される。また、分圧板上に位置し、棟側端部の軸を中心に回動する足場板と、この足場板を回動させて当該足場板の勾配を調節する勾配調節機構とを有すると、足場板の勾配を調節したうえで作業を行うことができ、作業効率の低下、落下事故の発生等を防止することができる。
【００１１】
〔請求項２〕
前記分圧板は、少なくとも前記屋根側の部位が、当該屋根の形状に沿って曲る鋼板、アルミ板、及び、繊維補強レジンパネルのいずれかで構成されている、
請求項１記載の足場装置。
【００１２】
（作用効果）
分圧板の屋根側の部位が当該屋根の形状に沿って曲る鋼板、アルミ板、及び、繊維補強レジンパネルのいずれかで構成されていると、分圧効果が向上し、踏み抜き事故の発生がより確実に防止される。また、クッション材ではなく、鋼板等の板材で構成されていると、作業者の荷重等によって装置が傾くことがなくなり、しかも製造が容易となる。
【００１３】
〔請求項３〕
前記分圧板及び前記足場板は、前記勾配方向と直交する横方向に長い横長状とされ、
前記勾配調節機構は、前記分圧板の軒側端部と前記足場板の軒側端部との間に介在された伸縮部材で構成され、
この伸縮部材が横方向に間隔をおいて複数設けられ、この複数の伸縮部材の伸縮によって前記足場板の勾配が調節される構成とされている、
請求項１又は請求項２記載の足場装置。
【００１４】
（作用効果）
勾配調節機構が分圧板の軒側端部と足場板の軒側端部との間に介在された伸縮部材で構成されており、この伸縮部材が横方向に間隔をおいて複数設けられ、この複数の伸縮部材の伸縮によって足場板の勾配が調節される構成とされていると、足場板の勾配を正確に調節することができ、しかも調節した勾配を確実に維持することができる。
【００１５】
〔請求項４〕
前記複数の伸縮部材それぞれが、
前記分圧板から前記足場板側、かつ横方向一方側に延在する第１の下側節、
前記分圧板から前記足場板側、かつ横方向他方側に延在する第２の下側節、
前記足場板から前記分圧板側、かつ横方向一方側に延在する第１の上側節、及び、
前記足場板から前記分圧板側、かつ横方向他方側に延在する第２の上側節、
が備わるリンク機構で構成され、
前記第１の下側節と前記第１の上側節との連結部にそれぞれ雌ネジ部材が設けられ、
前記第２の下側節と前記第２の上側節との連結部にそれぞれ筒部材が設けられ、
前記複数の雌ネジ部材とそれぞれ螺合する複数の雄ネジ部、及び、前記複数の筒部材をそれぞれ挟み込む一対の凸部、を有する回転棒が、当該複数の雌ネジ部材及び複数の筒部材に挿通され、
前記回転棒を軸心回りに回転すると、前記複数の雌ネジ部材がそれぞれ前記雄ネジ部上を移動して前記複数のリンク機構が同時に伸縮する構成とされている、
請求項３記載の足場装置。
【００１６】
（作用効果）
本発明の作用効果は後述する。
【００１７】
〔請求項５〕
前記分圧板は、前記勾配方向に長い縦長状とされ、
前記足場板は、前記勾配方向に並ぶ複数で構成され、この複数の足場板が、それぞれ棟側端部の軸を中心に回動する構成とされている、
請求項１又は請求項２記載の足場装置。
【００１８】
（作用効果）
分圧板が勾配方向に長い縦長状とされている場合において、足場板が勾配方向に並ぶ複数で構成され、この複数の足場板が、それぞれ棟側端部の軸を中心に回動する構成とされていると、複数の足場板を縦方向に階段状に並べることができ、作業者が縦方向へ迅速に移動することができるようになる。
【００１９】
〔請求項６〕
前記勾配調節機構は、
前記複数の足場板の棟側端部を軸支する基材と、
前記複数の足場板からそれぞれ側方へ延出する延出片と、
この複数の延出片をそれぞれ挟む一対の凸部が備わり、この一対の凸部間の部位がそれぞれ前記複数の延出片に形成された軸通孔に挿通される軸棒と、
前記基材から上方に延出し、前記軸棒を軸方向及び上下方向に移動可能に支持する支持材と、を有し、
前記軸棒を軸方向に移動すると、前記一対の凸部に挟まれた延出片がそれぞれ軸方向へ移動し、この移動によって前記複数の足場板が回動する構成とされている、
請求項５記載の足場装置。
【００２０】
（作用効果）
本発明の作用効果は後述する。
【００２１】
〔請求項７〕
勾配を有する屋根上に足場を設置する方法であって、
請求項６記載の足場装置を縦足場装置として前記屋根の勾配方向に沿って設置するとともに、
前記縦足場装置の軸棒を軸方向に移動して当該縦足場装置の複数の足場板の勾配を調節し、
この縦足場装置から前記勾配と直交する横方向に沿って請求項４記載の足場装置を横足場装置として設置するとともに、
この横足場装置の回転棒を回転して当該横足場装置の足場板の勾配を調節する、
ことを特徴とする足場装置の設置方法。
【００２２】
（作用効果）
本発明の作用効果は後述する。
【発明の効果】
【００２３】
本発明によると、勾配を有する屋根上での作業性を向上することができる足場装置、及び足場装置の設置方法となる。
【図面の簡単な説明】
【００２４】
【図１】勾配を有する屋根の斜視図である。
【図２】足場装置の設置方法を示す平面図である。
【図３】横足場装置の斜視図である。
【図４】横足場装置の軸部分を示す側面図である。
【図５】勾配調節機構の変形例の正面図である。
【図６】図５のＶＩ−ＶＩ線部分の断面図である。
【図７】リンク機構の動きを示す正面図である。
【図８】リンク機構と分圧板との接続部分を示す正面図（ａ）及び断面図（ｂ）である。
【図９】縦足場装置の模式斜視図である。
【図１０】縦足場装置の側面図である。
【図１１】縦足場装置の平面図である。
【図１２】図１０のＶＩＩ−ＶＩＩ線模式断面図である。
【図１３】図１０のＸ１部分の側面図（ａ）及びＸ２部分の縦断面図である。
【図１４】足場板に対するＬ字金具の固定状態を示す平面図（ａ）、背面図（ｂ）及び側面図（ｃ）である。
【発明を実施するための形態】
【００２５】
次に、本発明の実施の形態を説明する。
本形態の足場装置は、図１に示すような勾配を有する屋根１０上に設置されるものである。なお、屋根１０の最も高い水平部分であり、二つの屋根面の相交わる部分を棟１０Ａと、屋根１０の下端の、建物の外部に差し出たところを軒１０Ｂとそれぞれ表現する。
【００２６】
屋根１０の勾配は特に限定されないが、本形態の足場装置は、３〜４寸の比較的緩やかな勾配を有する屋根に設置する場合に好適である。また、屋根１０の原料（素材）も特に限定されず、例えば、スレート系の屋根、シングル系の屋根、金属系の屋根等のいずれにも設置することができるが、本形態の足場装置をスレート系の屋根に設置した場合は、踏み抜き事故の発生も効果的に防止することができる。
【００２７】
本形態の足場装置は、平面形状が特に限定されず、例えば、正方形状等にすることもできるが、以下では、好適な形態例として、図２に示す、屋根１０の勾配方向に直交する横方向に沿って設置される横長状の横足場装置２０、及び、屋根１０の勾配方向である縦方向に沿って設置される縦長状の縦足場装置３０について詳説する。
【００２８】
（横足場装置）
本形態の横足場装置２０は、図３に示すように、屋根１０上に置かれる横長長方形状の分圧板２１と、この分圧板２１上に位置し、棟側端部２２Ａの軸を中心に回動する横長長方形状の足場板２２と、この足場板２２を回動させて当該足場板２２の勾配を調節する勾配調節機構２３と、から主になる。
【００２９】
分圧板２１は、作業者等の荷重が屋根１０に局所的に加わって屋根１０が破損するのを防止するための部材である。したがって、分圧板２１は、屋根１０の形状（平坦状、波形状等）に関わらず、平板２１Ｘのみで構成することもできるが、屋根１０の形状が平坦状でない場合は、圧力（荷重）分散効果を向上させるために、屋根１０の形状に沿って曲る板材、特に鋼板、アルミ板、及び、繊維補強レジンパネルのいずれかで構成するのが好ましく、本形態では、平板２１Ｘの裏面側（屋根１０側）に、波形の鋼板２１Ｙが備えられている。
【００３０】
この点、前述特許文献３は、屋根と接する部材を、下面が波形面部とされた発泡スチロール、発泡ウレタン、スチレン系樹脂を発泡させたクッション材で構成するとする。この構成によると、クッション材が変形するため、スレート屋根に対する接触が線接触ではなく面接触となり、圧力分散（分圧）効果が発揮されるとする。しかるに、現在、波形スレート屋根の波形形状は規格化されており、この規格に合わせて鋼板等の板材を波形形状としておけば面接触となる。また、クッション材で構成すると、例えば、横足場装置２０の横方向一方端部に作業者が載った場合に、当該一方端部側へ横足場装置２０が傾いてしまうが、波形の鋼板２１Ｙ等であれば、横足場装置２０が傾くおそれがなく、横足場装置２０上における作業性、安全性が維持される。さらに、クッション材の下面を波形とするよりも、鋼板、アルミ板を曲げ、あるいは繊維補強レジンパネルを成型する方が容易である。このような観点から、分圧板２１は、屋根１０側の部位が、クッション材で構成されているよりも、屋根１０の形状に沿って曲る板材、特に鋼板、アルミ板、及び、繊維補強レジンパネルのいずれかで構成されている方が好ましい。この点、屋根１０の傷付き等を防止する必要がある場合は、鋼板２１Ｙの裏面に、例えば、ゴム、スポンジ等からなる弾性シート（図示せず）を貼り付けるとよい。特に、ゴム等の弾性シートを貼り付けた場合は、横足場装置２０の屋根１０に対する滑り止め効果も発揮される。
【００３１】
足場板２２は、作業者が屋根の点検や葺き替え、清掃、塗装等の作業を行う際に載るための部材である。本形態の足場板２２は、平板状とされているが、適宜の形状に、例えば、波形形状等にすることもできる。また、足場板２２は、例えば、鋼板、アルミ板、繊維補強レジンパネル等で形成することができる。
【００３２】
足場板２２は、図４に示すように、棟側端部２２Ａの裏面（屋根１０側の面）に軸受け部材２４が固定されており、この軸受け部材２４が図示しない軸材を介して分圧板２１の棟側端部２１Ａに軸支されている。したがって、足場板２２は、当該軸材（軸）を中心に回動可能であり、この回動に伴って足場板２２の勾配が調節される。足場板２２の勾配を、例えば、水平に調節すると、作業者は水平面上で作業を行うことができるようになり、作業効率や安全性が向上する。
【００３３】
足場板２２の勾配を調節する勾配調節機構２３としては、種々の形態を考えることができ、図３に示す例では、分圧板２１の軒側端部２１Ｂと足場板２２の軒側端部２２Ｂとの間に介在された伸縮部材たるターンバックル６０で構成されている。このターンバックル６０は、横方向に適宜の間隔をおいて複数、図示例では等間隔で３つ設けられている。
【００３４】
各ターンバックル６０は、両端に雌ネジが切られたバックル胴６１と、一端が分圧板２１の軒側端部２１Ｂ又は足場板２２の軒側端部２２Ｂに固定され、他端がバックル胴６１の雌ネジに螺合された一対の雄ネジ６２とで、構成されている。各ターンバックル６０は、バックル胴６１を回転すると、このバックル胴６１の雌ネジと雄ネジ６２との螺合度合い（量）が変化し、伸縮する。この伸縮に応じて、分圧板２１の軒側端部２１Ｂと足場板２２の軒側端部２２Ｂとの離間距離が変化し、足場板２２の勾配も変化する。
【００３５】
もっとも、この形態によると、作業者はバックル胴６１を回転して足場板２２の勾配を調節する作業を、ターンバックル６０の数だけ繰り返す必要がある。そこで、作業効率の向上という観点から、勾配調節機構２３として次に示す形態を推奨する。
【００３６】
本形態の勾配調節機構２３は、図５に示すように、複数の伸縮部材７０が、それぞれ分圧板２１の軒側端部２１Ｂから足場板２２側、かつ横方向一方側（図示例では紙面左側）に延在する第１の下側節７１、分圧板２１の軒側端部２１Ｂから足場板２２側、かつ横方向他方側（図示例では紙面右側）に延在する第２の下側節７２、足場板２２の軒側端部２２Ｂから分圧板２１側、かつ横方向一方側（図示例では紙面左側）に延在する第１の上側節７３、及び、足場板２２の軒側端部２２Ｂから分圧板２１側、かつ横方向他方側（図示例では紙面右側）に延在する第２の上側節７４が備わるリンク機構で構成されている。また、第１の下側節７１と第１の上側節７３との連結部には、それぞれ雌ネジ部材７６Ａが設けられ、第２の下側節７２と第２の上側節７４との連結部には、それぞれ筒部材７５Ａが設けられている。さらに、複数の雌ネジ部材７６Ａとそれぞれ螺合する複数の雄ネジ部７７Ａ、及び、複数の筒部材７５Ａをそれぞれ挟み込む一対の凸部７５Ｂ，７５Ｂを有する１本の回転棒７７が、複数の雌ネジ部材７６Ａ及び複数の筒部材７５Ａに挿通されている。
【００３７】
この形態においては、回転棒７７の横方向（軸方向）一方側端部（図示例では紙面左側端部）に備わるハンドル７８を回して回転棒７７を軸心回り一方向に回転すると、図６及び図７に示すように、雌ネジ部材７６Ａが回転棒７７の雄ネジ部７７Ａ上を筒部材７５Ａに近づく側（他方側）へ移動する。そして、この筒部材７５Ａは、一対の凸部７５Ｂ，７５Ｂに挟み込まれており、回転棒７７に沿った移動をしないため、雌ネジ部材７６Ａと筒部材７５Ａとの離間距離が狭まり、これらの部材７５Ａ，７６Ａと固定関係にあるリンク機構７１〜７４が横方向に関して狭まり、かつ上下方向に関して伸張することになる。他方、回転棒７７を軸心回り他方向（逆方向）に回転すると、雌ネジ部材７６Ａが回転棒７７の雄ネジ部７７Ａ上を筒部材７５Ａから離れる側（一方側）へ移動する。そして、この場合においても、筒部材７５Ａは、回転棒７７に沿った移動をしないため、雌ネジ部材７６Ａと筒部材７５Ａの離間距離が広がり、これらの部材７５Ａ，７６Ａと固定関係にあるリンク機構（７１〜７４）が横方向に関して広がり、かつ上下方向に関して収縮することになる。以上のように、本形態においては、回転棒７７を軸心回り一方向又は他方向に回転すると、複数の雌ネジ部材７６Ａが雄ネジ部７７Ａ上を同時に、同一方向に移動し、もって複数のリンク機構（７１〜７４）が同時に伸張又は伸縮するため、設置作業効率が極めて向上する。
【００３８】
この点、このリンク機構（７１〜７４）を利用した形態による場合、雌ネジ部材７６Ａが筒部材７５Ａに近づく側（他方側）へ移動すると、第１の下側節７１と第２の下側節７２との連結部、及び、第１の上側節７３と第２の上側節７４との連結部も筒部材７５Ａに近づく側（他方側）へ移動する。また、雌ネジ部材７６Ａが筒部材７５Ａから離れる側（一方側）へ移動すると、第１の下側節７１と第２の下側節７２との連結部、及び、第１の上側節７３と第２の上側節７４との連結部も筒部材７５Ａから離れる側（一方側）へ移動する。そこで、当該両連結部は、分圧板２１や足場板２２に対して、横方向にスライドするように構成するのが好ましい。このスライドの形態は、特に限定されるものではないが、以下の形態を推奨する。なお、以下では、下側節７１，７２の連結部の場合を例に説明するが、上側節７３，７４の場合も同様である。
【００３９】
本形態のスライド機構においては、図８に示すように、第１の下側節７１と第２の下側節７２とが軸部７９Ａによって、当該軸部７９Ａを中心に回動するように連結されている。また、当該軸部７９Ａから下方に連結部７９Ｂが延出しており、更にこの連結部７９Ｂの下端部に、図８の（ａ）に示すように横方向に広がり、かつ図８の（ｂ）に示すように軸部７９Ａの軸方向にも広がるスライド部７９Ｃが設けられている。他方、分圧板２１の軒側端部２１Ｂには、断面略逆Ｔ字状の溝部７９Ｄが、横方向に沿って形成されており、この溝部７９Ｄ内にスライド部７９Ｃが収められている。したがって、下側節７１，７２の連結部が横方向（一方側又は他方側）に移動するに際しては、当該スライド部７９Ｃが溝部７９Ｄ内を横方向へスライドすることになる。
【００４０】
（縦足場装置）
次に、縦足場装置３０について、説明する。
本形態の縦足場装置３０は、図９に示すように、屋根１０上に置かれる縦長長方形状の分圧板３１と、この分圧板３１上に位置し、棟側端部３２Ａの軸を中心に回動する適宜の形状の図示例では横長長方形状の足場板３２と、この足場板３２を回動させて当該足場板３２の勾配を調節する図示しない勾配調節機構と、から主になる。
【００４１】
分圧板３１は、横足場装置２０の分圧板２１と同様、作業者等の荷重が屋根１０に局所的に加わって屋根１０が破損するのを防止するための部材である。したがって、分圧板３１も、屋根１０の形状（平坦状、波形状等）に関わらず、平板状とすることができるが、本形態においては、図１２に示すように、屋根１０の形状に沿って曲る鋼板３１Ｘと、この鋼板３１Ｘの裏面（屋根１０側の面）に貼り付けられ、もって屋根１０の形状に沿って曲がるものとされたスポンジ等からなるクッション材３１Ｙと、で構成されている。分圧板３１が屋根１０の形状に沿って曲がると、圧力（荷重）分散効果が向上する。また、縦足場装置３０に備わる分圧板３１は縦長長方形状であり、横方向一方端部に作業者が載った場合に、当該一方端部側へ縦足場装置３０が傾いてしまうとの問題（前述横足場装置２０の場合に生じる問題）がほとんど生じないため、クッション材３１Ｙを使用することができる。もっとも、このクッション材３１Ｙに変えて、鋼板３１Ｘの裏面に、ゴム、スポンジ等からなるシート材を貼り付けることもできる。なお、本明細書では、クッション材は厚さＬが２０ｍｍ以上（好ましくは３０〜５０ｍｍ）である場合を、シート材は厚さが６ｍｍ以下（好ましくは１ｍｍ〜３ｍｍ）である場合を言うものとする。
【００４２】
足場板３２は、横足場装置２０の足場板２２と同様、作業者が屋根の点検や葺き替え、清掃、塗装等の作業を行う際に乗るための部材である。ただし、この足場板３２は、勾配方向（縦方向）に並ぶ複数で構成されており、この複数の足場板３２が、それぞれ棟側端部３２Ａの軸材（軸）３３（図１０参照）を中心に回動する構成とされている。この回動に伴って足場板３２の勾配が、それぞれ例えば水平に調節される。
【００４３】
足場板３２の勾配を調節する勾配調節機構としては、種々の形態を考えることができ、分圧板３１と足場板３２の軒側端部３２Ｂとの間に、それぞれ前述横足場装置２０の場合と同様の伸縮部材たるターンバックルを介在させることなどができる。もっとも、この形態によると、作業者は足場板３２ごとにターンバックルを調節して勾配を調節する必要がある。そこで、作業効率の向上という観点から、図１０〜１４に示す勾配調節機構４０を推奨する。
【００４４】
この勾配調節機構４０には、まず、複数の足場板３２の棟側端部３２Ａを軸支する基材４１が備わる。この基材４１は、分圧板３１の両側端部上に、この両側端部に沿って平行配置される一対の部材からなる。この一対の基材４１間には、長手方向（縦方向）に適宜の間隔をおいて複数の軸材３３が設けられており、この複数の軸材３３が複数の足場板３２の棟側端部３２Ａをそれぞれ軸支している。各基材４１は、図示例のように断面略方形状とすることのほか、断面略円形状などとすることもでき、また、図示例のように直線状とすることのほか曲線状などとすることもできる。
【００４５】
また、この勾配調節機構４０には、図１４に示すように、Ｌ型金具４２が備わる。このＬ型金具４２は、その一片４２Ａが複数の足場板３２の側面にそれぞれに固定され、この一片４２Ａから直角に折れ曲がる他片４２Ｂが各足場板３２から側方へ延出する延出片とされている。この延出片４２Ｂには、平面略円形状の軸通孔４２Ｃが形成されている。
【００４６】
さらに、勾配調節機構４０には、軸通孔４２Ｃに挿通される軸棒４５が備わる。この軸棒４５は、図１３の（ｂ）に拡大して示すように、複数の延出片４２Ｂをそれぞれ挟む一対の凸部４６が備わっており、この一対の凸部４６間の部位がそれぞれ軸通孔４２Ｃに挿通されている。したがって、軸通孔４２Ｃは、図示例のように平面略円形状とすることの他、方形状、多角形状等とすることもできる。
【００４７】
この軸棒４５は、基材４１の上面から上方に延出し、当該軸棒４５を軸方向及び上下方向に移動可能に支持する支持材５１によって、基材４１上に支持されている。この支持材５１は、一対の基材４１それぞれに、長手方向（縦方向）に適宜の間隔をおいて複数、図示例ではそれぞれ３つ設けられており、各支持材５１には、長手方向に貫通し、かつ軸棒４５が挿通される支持孔５２が形成されている。この支持孔５２は、上下方向（支持材５１の延出方向）が長い長孔とされており、軸棒４５が軸方向の他、上下方向にも移動可能となっている。したがって、軸棒４５を軸方向（縦方向）に移動すると、一対の凸部４６に挟まれた延出片４２Ｂに対して軸方向への力が働き、足場板３２が軸材３３を中心に回動することになる。つまり、支持孔５２が上下方向に長い長孔とされており、軸棒４５の上下方向への移動が許容されているため、足場板３２の回動が妨げられることがない。
【００４８】
足場板３２の回動範囲、すなわち勾配は、軸棒４５の軸方向に関する移動距離、及び、支持孔５２の上下方向の長さによって決定づけることができ、例えば、勾配が３〜４寸の屋根いずれに対しても足場板３２を水平にすることができるように設計することが考えられる。
【００４９】
軸棒４５の軸方向への移動方法は、特に限定されないが、本形態では、軸棒４５の棟側端部及び軒側端部に雄ネジ部を形成するとともに、この雄ネジ部と螺合するナット等の雌ネジ部材４５Ｎ（図１３の（ｂ）参照）を、最も棟側の支持材５１の棟側、及び、最も軒側の支持材５１の軒側に配置している。この形態によると、当該雌ネジ部材４５Ｎを回転させることによって、軸棒４５が軸方向へ移動し、複数の足場板３２が同時に回動することになり、複数の足場板３２の勾配が同時に調節される。そして、この調節量は、雌ネジ部材４５Ｎの回転量に比例するため、正確に設定することができ、しかも一度決定した調節量を確実に維持することができる。
【００５０】
さらに、勾配調節機構４０には、より好ましい形態として、縦足場装置３０を直列的に繋ぎ合せるための機構（連結機構）が備えられている。この連結機構は、一対の基材４１の棟側端部にそれぞれ固定された掛止部材６１と、一対の基材４１の軒側端部間に架設された受け掛止部材６６とから主になる。
【００５１】
掛止部材６１は、図１３の（ａ）に示すように、基材４１の棟側端部に直接又は他の部材を介して間接的に固定された基部６４を有しており、この基部６４が、基材４１の棟側端部から棟側へ延出した状態とされている。この基部６４には、第１の半円弧部６２が支持されており、また、この第１の半円弧部６２には、第２の半円弧部６３が縦足場装置３０の幅方向に関して重なるように、かつ周方向に回動するように支持されている。
【００５２】
掛止部材６１及び受け掛止部材６６を使用して縦足場装置３０を連結するにあたっては、まず、一対の掛止部材６１それぞれについて、第２の半円弧部６３を一方へ（図示例では紙面反時計回り方向へ）回動して開口６５を形成する。次いで、この開口６５から受け掛止部材６６を受け入れ、更に第２の半円弧部６３を他方へ（図示例では紙面時計回り方向へ）回動して開口６５を閉じる。このようにして掛止部材６１と受け掛止部材６６とが掛止された状態となり、縦足場装置３０が連結される。
【００５３】
本形態においては、受け掛止部材６６が断面略円形状のパイプ材で構成されているが、受け掛止部材６６は掛止部材６１と掛止可能であれば足り、例えば、断面略方形状、断面略多角形状の棒材等で構成することもできる。また、本形態においては、第１の半円弧部６２の第２の半円弧部６３側の面から凸部６２ｂが突出しており、この凸部６２ｂが挿通する切抜き６３ａが第２の半円弧部６３に形成されている。したがって、第２の半円弧部６３の回動範囲は、凸部６２ｂが切抜き６３ａ内を移動可能な範囲に限定される。なお、図示例では、凸部６２ｂの先端部が切抜き６３ａの幅よりも広がっており、凸部６２ｂが切抜き６３ａから抜けないように構成されている。
【００５４】
（足場装置の設置方法）
次に、横足場装置２０及び縦足場装置３０を屋根１０上に設置する方法を説明する。
本形態の設置方法においては、図２に示すように、まず、縦足場装置３０を屋根１０の勾配方向に沿って設置する。縦足場装置３０は、屋根１０の大きさに応じて適宜連設することができ、図示例では２つの縦足場装置３０を直列的に連設している。なお、縦足場装置３０を直列的に連設するにあたっては、前述勾配調節機構４０の連結機構（６１，６６）を利用すると好適である。
【００５５】
縦足場装置３０を設置したら、縦足場装置３０の軸棒４５を軸方向に移動して複数の足場板３２の勾配を例えば水平に調節する。ただし、この勾配調節は、縦足場装置３０を設置するに先立って行うこともできる。
【００５６】
さらに、縦足場装置３０の設置及び勾配調節が終了したら、この縦足場装置３０から横方向に沿って横足場装置２０を設置する。この横足場装置２０の設置は、縦方向に適宜の間隔をおいて複数行うことになり、この設置にあたっては、作業者が、横足場装置２０を所持した状態で縦足場装置３０上を縦方向に移動することになる。しかしながら、本形態においては、足場板３２の勾配が調節されているため、作業者は、階段を上り下りするのと同様に移動することができ、設置作業を迅速に行うことができる。
【００５７】
横足場装置２０を設置したら、足場板２２の勾配を例えば水平に調節する。この横足場装置２０の勾配調節機構が前述複数の伸縮部材７０で構成されたものである場合は、縦足場装置３０上において回転棒７７の一端部に備わるハンドル７８を回すことで足場板２２の勾配を調節することができ、設置作業を迅速に進めることができる。この勾配の調節は、横足場装置２０の設置に先立って行うこともできるが、設置後に縦足場装置３０上において行うものとすれば、足場板２２の勾配を横方向から確認することができ好適である。したがって、図示例のように、横足場装置２０を横方向に連設する場合は、縦足場装置３０側に近い横足場装置２０から順に、設置及び勾配調節を繰り返すのが好ましい。
【００５８】
横足場装置２０は、作業領域全域にわたって一度に設置し、続けて塗工等の作業を行うこともできるが、一部の領域に対する横足場装置２０の設置・塗工等の作業・横足場装置２０の撤去を繰り返すこともできる。図２に示す例では、塗工等の作業が終了した領域Ｘの横足場装置２０を撤去した状態を示している。
【産業上の利用可能性】
【００５９】
本発明は、勾配を有するスレート屋根等の上に設置される足場装置、及び当該屋根上に足場装置を設置する方法として適用可能である。
【符号の説明】
【００６０】
１０…屋根、１０Ａ…棟、１０Ｂ…軒、２０…横足場装置、２１，３１…分圧板、２２，３２…足場板、２３，４０…勾配調節機構、３０…縦足場装置、４１…基材、４２…Ｌ字金具、４２Ｂ…延出片、４５…軸棒、５１…支持材、６０…ターンバックル、７０…伸縮部材、７１，７２…下側節、７３，７４…上側節７３、７５Ａ…筒部材、７６Ａ…雌ネジ部材、７７…回転棒、７８…ハンドル。
【図１】
2012057302.tif 000003
【図２】
2012057302.tif 000004
【図３】
2012057302.tif 000005
【図４】
2012057302.tif 000006
【図５】
2012057302.tif 000007
【図６】
2012057302.tif 000008
【図７】
2012057302.tif 000009
【図８】
2012057302.tif 000010
【図９】
2012057302.tif 000011
【図１０】
2012057302.tif 000012
【図１１】
2012057302.tif 000013
【図１２】
2012057302.tif 000014
【図１３】
2012057302.tif 000015
【図１４】
2012057302.tif 000016